(57)【要約】【課題】第１の信号に第２の信号が周波数変調によって重畳されて生成された光信号において、第２の信号の復調精度を高めること。【解決手段】波長可変フィルタ１１が、その中心波長を波長制御部１２によって制御されることにより透過波長帯域を波長軸上でスイープさせて光信号のフィルタリングを行い、強度検出部１３が、波長可変フィルタ１１の透過光の強度を検出する。パワスペクトル取得部１５が、透過光の強度から光信号のパワスペクトルを測定して取得し、ピーク特定部１６が、パワスペクトルのピーク位置に対応する波長であるピーク波長を特定する。波長決定部１７が、ピーク波長を基準にして復調対象波長を決定し、復調部１８が、光信号の復調対象波長において第２の信号を復調する。【選択図】図１
2014179954.tif 000002
【特許請求の範囲】
【請求項１】
第１の信号に第２の信号が周波数変調によって重畳された光信号のパワスペクトルを取得する取得部と、
前記パワスペクトルのピーク位置に対応する波長であるピーク波長を特定する特定部と、
前記ピーク波長に基づいて透過波長帯域を設定した波長可変フィルタを用いて前記光信号から前記第２の信号を復調する復調部と、
を具備する光信号復調装置。
【請求項２】
前記光信号が前記波長可変フィルタを透過した透過光の強度を検出する検出部と、
前記波長可変フィルタの透過波長帯域をスイープさせて前記取得部に前記パワスペクトルを取得させるスイープ処理を行う一方で、前記スイープ処理の完了後に、前記波長可変フィルタの透過波長帯域を前記ピーク波長に基づいて制御する波長制御部と、をさらに具備し、
前記復調部は、前記波長可変フィルタの透過光の強度に基づいて前記第２の信号を復調する、
請求項１に記載の光信号復調装置。
【請求項３】
第１の信号に第２の信号が周波数変調によって重畳された光信号が波長可変フィルタを透過した透過光の強度を検出する検出部と、
透過波長帯域をスイープさせた前記波長可変フィルタを用いて前記光信号のパワスペクトルを取得する取得部と、
前記パワスペクトルのピーク位置に対応する波長であるピーク波長を特定する特定部と、
前記スイープにより前記検出部によって検出された強度のうち前記ピーク波長を基準にして設定した特定の波長の強度に基づいて、前記第２の信号を復調する復調部と、
を具備する光信号復調装置。
【請求項４】
前記特定部は、前記光信号の強度の２次の高調波成分が最大となる波長を前記ピーク波長として特定する、
請求項１に記載の光信号復調装置。
【請求項５】
前記特定部は、前記光信号の強度の周波数成分が対称となる２点の中間点を前記ピーク波長として特定する、
請求項１に記載の光信号復調装置。
【請求項６】
前記ピーク波長からオフセットした波長位置に前記透過波長帯域を設定する設定部、をさらに具備する、
請求項１に記載の光信号復調装置。
【請求項７】
前記パワスペクトルにおいて閾値以上の強度のうち微分係数が最大となる点に対応する前記波長位置に前記透過波長帯域を設定する設定部、をさらに具備する、
請求項１に記載の光信号復調装置。
【請求項８】
第１の信号に第２の信号が周波数変調によって重畳された光信号のパワスペクトルを取得する取得部と、
前記パワスペクトルのピーク位置に対応する波長であるピーク波長を特定する特定部と、
前記ピーク波長に基づいて透過波長帯域を設定した波長可変フィルタを用いて前記光信号から前記第２の信号を復調する復調部と、
を具備する光分岐挿入装置。
【請求項９】
第１の信号に第２の信号が周波数変調によって重畳された光信号のパワスペクトルを取得し、
前記パワスペクトルのピーク位置に対応する波長であるピーク波長を特定し、
前記ピーク波長に基づいて透過波長帯域を設定した波長可変フィルタを用いて前記光信号から前記第２の信号を復調する、
光信号復調方法。
【請求項１０】
第１の信号に第２の信号が周波数変調によって重畳された光信号のパワスペクトルを取得し、
前記パワスペクトルのピーク位置に対応する波長であるピーク波長を特定し、
前記ピーク波長に基づいて透過波長帯域を設定した波長可変フィルタを用いて前記光信号から前記第２の信号を復調する、
処理をプロセッサに実行させる光信号復調プログラム。
【発明の詳細な説明】
【技術分野】
【０００１】
本発明は、光信号復調装置、光信号復調方法、光信号復調プログラム及び光分岐挿入装置に関する。
【背景技術】
【０００２】
光分岐挿入または光クロスコネクト等を用いた光ネットワークでは、複数の送信ノードと複数の受信ノードとの間に数多くの光パスを設定することができる。このため、送信ノードと受信ノードとの組合せが互いに異なる複数の光信号が同一波長を用いて伝送されることがある。よって、受信ノードでは、受信した光信号の波長を検出しただけでは、その光信号が所望の送信ノードから送信されたものか否か、つまり、所望の光信号であるか否かを判断することができない。
【０００３】
そこで、受信された光信号の送信元を受信ノードにおいて確認可能にするために、主信号に、その主信号がどの送信ノードから送信されたものかを示すノードＩＤを補助信号として重畳することがある。また、光信号が伝送される光パスがいずれのパスであるかを中継ノードにおいて特定可能にするために、光パスのパスＩＤを補助信号として主信号に重畳することがある。
【０００４】
補助信号を主信号に重畳する技術として、補助信号を周波数変調により主信号に重畳するもの、すなわち、主信号を補助信号によって周波数変調するものがある。より具体的には、この技術では、主信号の中心周波数を、補助信号のディジタル情報の“０”または“１”に対応させて“−Δｆ”または“＋Δｆ”だけ僅かに変位させる。例えば、主信号の送信周波数帯域幅が数十ＧＨｚである場合、Δｆの大きさは０.１〜０.５ＧＨｚ程度である。受信ノードまたは中継ノードでは、受信した光信号を波長フィルタによってフィルタリングし、フィルタリング後の透過光をフォトダイオードにより受光して電気信号に変換することにより、主信号に重畳された補助信号を強度変調信号に変換する。すなわち、±Δｆの周波数変調により主信号に重畳された補助信号は、波長フィルタでのフィルタリングにより、±Δｆに応じた分だけ強度が変化する信号として検出される。このようにして、受信ノードまたは中継ノードでは、光信号に含まれる主信号及び補助信号のうち、主信号を復調しなくても、補助信号だけを復調することができる。
【先行技術文献】
【非特許文献】
【０００５】
【非特許文献１】Tanimura,  Takahito;  Hoshida,  Takeshi;  Nakashima,  Hisao;  Akiyama,  Yuichi;  Yan,  Meng;  Tao,  Zhenning;  Rasmussen,  Jens  C.,“In-Band  FSK  Supervisory  Signaling  Between  Adaptive  Optical  Transceivers  Employing  Digital  Signal  Processing,”in  Proceeding  of  ECOC  2011,  We.7.A,  September  2011
【非特許文献２】Tanimura,  Takahito;  Hoshida,  Takeshi;  Oda,  Shoichiro;  Akiyama,  Yuichi;  Nakashima,  Hisao;  Aoki,  Yasuhiko;  Cao,  Yinwen;  Yan,  Meng;  Tao,  Zhenning;  Rasmussen,  Jens  C.,“Superimposition  and  Detection  of  Frequency  Modulated  Tone  for  Light  Path  Tracing  Employing  Digital  Signal  Processing  and  Optical  Filter,”in  Proceeding  of  OFC  2012,  OW4G.4,  March  2012
【発明の概要】
【発明が解決しようとする課題】
【０００６】
周波数変調により主信号に重畳された補助信号を上記のように波長フィルタを用いて復調するには、波長フィルタの中心波長を、主信号の中心周波数付近、すなわち、主信号の中心波長付近に設定するのが望ましい。
【０００７】
しかしながら、送信ノードが主信号を生成するために有する発光素子の精度が劣る場合等には、主信号の中心波長が公称波長とずれてしまい正確でないことがある。また、送信ノードが有する発光素子として用いられることがあるレーザダイオードの中心波長は、その動作温度が上昇するにつれて長波長側にシフトする。このため、レーザダイオードの動作温度の上昇に伴って、主信号の中心波長が公称波長とずれてしまう。
【０００８】
主信号の中心波長が公称波長とずれてしまうことにより、主信号に対する波長フィルタの波長軸上での最適な位置を固定的に設定することが難しくなる。このため、従来は、周波数変調により主信号に重畳された補助信号の復調精度が低下することがあった。
【０００９】
開示の技術は、上記に鑑みてなされたものであって、周波数変調により第１の信号に重畳された第２の信号の復調精度を高めることができる光信号復調装置、光信号復調方法、光信号復調プログラム及び光分岐挿入装置を提供することを目的とする。
【課題を解決するための手段】
【００１０】
開示の態様では、第１の信号に第２の信号が周波数変調によって重畳された光信号のパワスペクトルを取得し、前記パワスペクトルのピーク位置に対応する波長であるピーク波長を特定する。また、開示の態様では、前記ピーク波長に基づいて透過波長帯域を設定した波長可変フィルタを用いて前記光信号から前記第２の信号を復調する。
【発明の効果】
【００１１】
開示の態様によれば、周波数変調により第１の信号に重畳された第２の信号の復調精度を高めることができる。
【図面の簡単な説明】
【００１２】
【図１】図１は、実施例１の光信号復調装置の一例を示す機能ブロック図である。
【図２】図２は、実施例１の光信号復調装置の処理の説明に供する図である。
【図３】図３は、実施例１の光信号復調装置の処理の説明に供する図である。
【図４】図４は、実施例１の光信号復調装置の処理の説明に供するフローチャートである。
【図５】図５は、実施例２の光信号復調装置の一例を示す機能ブロック図である。
【図６】図６は、実施例２のピーク特定部の処理の説明に供する図である。
【図７】図７は、実施例２の光信号復調装置の処理の説明に供するフローチャートである。
【図８】図８は、実施例３の光信号復調装置の一例を示す機能ブロック図である。
【図９】図９は、実施例３の波長決定部の処理の説明に供する図である。
【図１０】図１０は、実施例３の光信号復調装置の処理の説明に供するフローチャートである。
【図１１】図１１は、実施例４の光信号復調装置の一例を示す機能ブロック図である。
【図１２】図１２は、実施例４の光信号復調装置の処理の説明に供するフローチャートである。
【図１３】図１３は、実施例５の光分岐挿入装置の一例を示す機能ブロック図である。
【図１４】図１４は、光信号復調装置のハードウェア構成例を示す図である。
【発明を実施するための形態】
【００１３】
以下に、本願の開示する光信号復調装置、光信号復調方法、光信号復調プログラム及び光分岐挿入装置の実施例を図面に基づいて詳細に説明する。なお、以下の実施例により本願の開示する光信号復調装置、光信号復調方法、光信号復調プログラム及び光分岐挿入装置が限定されるものではない。また、各実施例において同一の機能を有する構成、及び、同一の処理を行うステップには同一の符号を付し、重複する説明は省略される。
【００１４】
［実施例１］
＜光信号復調装置の構成＞
図１は、実施例１の光信号復調装置の一例を示す機能ブロック図である。図１において、光信号復調装置１０は、波長可変フィルタ１１と、波長制御部１２と、強度検出部１３と、切替部１４と、パワスペクトル取得部１５と、ピーク特定部１６と、波長決定部１７と、復調部１８とを有する。
【００１５】
波長可変フィルタ１１には、送信ノードまたは中継ノードから受信された光信号が入力される。この光信号は、送信ノードにおいて、主信号に補助信号が周波数変調によって重畳されて生成されたものである。すなわち、送信ノードでは、上記のように、主信号の中心周波数を、補助信号のディジタル情報の“０”または“１”に対応させて“−Δｆ”または“＋Δｆ”だけ僅かに変位させることにより、主信号に補助信号を重畳する。また、補助信号には、上記のように、ノードＩＤまたはパスＩＤ等、光ネットワークの管理用の情報が含まれる。
【００１６】
波長可変フィルタ１１は、一定の透過波長帯域幅を有する。また、波長可変フィルタ１１は、その中心波長が波長制御部１２によって制御されることにより透過波長帯域を変化させ、入力された光信号のうち一部の波長の光を透過するフィルタリングを行う。波長可変フィルタ１１は、フィルタリング後の透過光を強度検出部１３に出力する。
【００１７】
波長制御部１２は、後述するように、波長可変フィルタ１１の中心波長を制御する。また、波長制御部１２は、後述するように、切替部１４を制御する。また、波長制御部１２は、パワスペクトトル取得部１５及びピーク特定部１６に対し、後述するような通知を行う。
【００１８】
強度検出部１３は、受光素子として例えばフォトダイオードを有し、波長可変フィルタ１１の透過光を受光し、その透過光を電気信号に変換することにより、透過光の強度を検出する。強度検出部１３は、透過光の強度の検出結果を切替部１４に出力する。
【００１９】
切替部１４は、波長制御部１２からの制御に従って、強度検出部１３から入力された検出結果の出力先を、パワスペクトル取得部１５または復調部１８のいずれかに切り替える。
【００２０】
パワスペクトル取得部１５は、切替部１４から入力された検出結果、すなわち、波長可変フィルタ１１の透過光の強度に基づいて、波長可変フィルタ１１に入力される光信号のパワスペクトルを測定して取得する。
【００２１】
ピーク特定部１６は、パワスペクトル取得部１５で取得されたパワスペクトルを、波長制御部１２からの指示に従って参照する。ピーク特定部１６は、パワスペクトル取得部１５で取得されたパワスペクトルのピーク位置を特定するとともに、そのピーク位置に対応する波長であるピーク波長を波長軸上において特定し、特定したピーク波長を波長決定部１７に通知する。
【００２２】
波長決定部１７は、ピーク特定部１６から通知されたピーク波長を基準にして、補助信号の復調対象の波長（以下では「復調対象波長」と呼ばれることがある）を決定し、決定した復調対象波長を波長制御部１２に通知する。
【００２３】
復調部１８は、切替部１４から入力された検出結果、すなわち、波長可変フィルタ１１の透過光の強度に基づいて補助信号を復調し、復調結果を出力する。
【００２４】
＜光信号復調装置の処理＞
図２及び図３は、実施例１の光信号復調装置の処理の説明に供する図である。
【００２５】
図２に示すように、波長制御部１２は、波長可変フィルタ１１の中心波長λｃを波長軸上において順次シフトすることにより、波長可変フィルタ１１の透過波長帯域１１１を波長軸上においてスイープさせるスイープ処理を行う。波長制御部１２は、このスイープ処理を、例えば、光信号復調装置１０が適用される光ネットワークシステムにおいて光信号の送信に使用可能な波長帯域、つまり、光信号の送信波長帯域の全域に渡って行う。また、波長制御部１２は、波長可変フィルタ１１の中心波長λｃを所定の波長間隔で順次シフトさせ、各シフト点の波長をパワスペクトル取得部１５に通知する。波長可変フィルタ１１は、その中心波長λｃを順次シフトされながら入力される光信号をフィルタリングする。これにより、強度検出部１３は、光信号の強度を、送信波長帯域の全域に渡って所定の波長間隔で検出する。波長制御部１２は、スイープ処理の開始時には、切替部１４の出力先をパワスペクトル取得部１５側に設定するため、スイープ処理により検出された光信号の強度は、スイープ処理に伴って順次、パワスペクトル取得部１５に入力される。パワスペクトル取得部１５は、スイープ処理により検出された光信号の各強度を、波長可変フィルタ１１の中心波長λｃの各シフト点に対応付けて記憶する。
【００２６】
よって、スイープ処理の完了時には、パワスペクトル取得部１５には、送信波長帯域の全域に渡る光信号の強度が記憶され、パワスペクトル取得部１５は、記憶された強度の変化から、例えば図２に示すようなパワスペクトル１５１を測定して取得することができる。なお、図２では、一例として、波長可変フィルタ１１に入力された光信号は、互いに異なる波長を有する３つの光信号が波長分割多重（ＷＤＭ：Wavelength  Division  Multiplexing）によって多重されたものである場合を示す。
【００２７】
波長制御部１２は、スイープ処理の完了後、切替部１４の出力先を復調部１８側に切り替えるとともに、スイープ処理の完了通知をピーク特定処理の開始指示としてピーク特定部１６に出力する。
【００２８】
ピーク特定部１６は、波長制御部１２からスイープ処理の完了通知を受けると、パワスペクトル取得部１５で取得されたパワスペクトル１５１を参照する。例えば、図２に示すように、ピーク特定部１６は、パワスペクトル１５１のピーク位置ｐ１，ｐ２，ｐ３を特定するとともに、これらのピーク位置ｐ１，ｐ２，ｐ３にそれぞれ対応する波長であるピーク波長λｐ１，λｐ２，λｐ３を波長軸上において特定する。ピーク特定部１６は、特定したピーク波長λｐ１，λｐ２，λｐ３を波長決定部１７に通知する。
【００２９】
ピーク波長λｐ１，λｐ２，λｐ３の通知を受けた波長決定部１７は、ピーク波長λｐ１，λｐ２，λｐ３を基準にして、復調対象波長を決定する。例えばピーク位置ｐ２を有する主信号に重畳された補助信号が復調対象である場合は、波長決定部１７は、図３に示すように、ピーク波長λｐ２を基準にし、ピーク波長λｐ２から所定量の＋Δλｏｆｆ１だけオフセットした波長位置を復調対象波長に決定する。そして、波長決定部１７は、決定した復調対象波長“λｐ２＋Δλｏｆｆ１”を波長制御部１２に通知する。
【００３０】
波長制御部１２は、波長可変フィルタ１１の中心波長λｃを、波長決定部１７によって決定された復調対象波長である“λｐ２＋Δλｏｆｆ１”に移動させて固定する。中心波長λｃを復調対象波長“λｐ２＋Δλｏｆｆ１”に固定された波長可変フィルタ１１は、入力される光信号をフィルタリングする。
【００３１】
主信号は補助信号により上記のようにして周波数変調されたものである。このため、ピーク位置ｐ２を有する主信号の中心周波数が時間の経過とともに“−Δｆ”及び“＋Δｆ”だけ変位することに応じて、図３に示すように、主信号の中心波長が時間の経過とともに“−Δλ”及び“＋Δλ”だけ変位する。“−Δλ”及び“＋Δλ”の大きさは、“−Δｆ”及び“＋Δｆ”の大きさに応じたものになる。そして、波長可変フィルタ１１は、“−Δλ”及び“＋Δλ”だけ中心波長が変位する主信号に対して、フィルタリングを行う。このため、波長可変フィルタ１１の中心波長λｃをピーク波長λｐ２から所定量の＋Δλｏｆｆ１だけオフセットした波長位置に固定すると、強度検出部１３では、図３に示すように、−Δλだけ変位した主信号の強度として強度ｐｗ１が検出される。また同様に、強度検出部１３では、図３に示すように、＋Δλだけ変位した主信号の強度として、強度ｐｗ１より大きい強度ｐｗ２が検出される。このように、±Δｆの周波数変調により主信号に重畳された補助信号は、波長可変フィルタ１１でのフィルタリングにより、±Δｆに応じた分だけ強度が変化する信号として検出される。つまり、強度検出部１３では、周波数変調により主信号に重畳された補助信号が強度変調信号に変換される。このとき切替部１４の出力先は復調部１８側に設定されているため、強度検出部１３によって時間の経過とともに順次検出される強度ｐｗ１，ｐｗ２は復調部１８に入力される。
【００３２】
復調部１８は、強度ｐｗ１，ｐｗ２に基づいて、補助信号を復調する。強度ｐｗ１，ｐｗ２の大きさはそれぞれ、−Δλ，＋Δλの大きさに応じたものになる。また、−Δλ，＋Δλの大きさは、それぞれ−Δｆ，＋Δｆの大きさに応じたものになる。また、−Δｆ，＋Δｆはそれぞれ、上記のように、補助信号のディジタル情報の“０”と“１”とに対応する。そこで、復調部１８は、強度ｐｗ１を“０”の情報、強度ｐｗ２を“１”の情報として補助信号を復調し、“０”と“１”のビット列からなる復調結果を出力する。このように、補助信号の復調は、ピーク波長λｐ２を基準にして波長決定部１７によって決定された復調対象波長においてなされる。すなわち、復調部１８は、中心波長λｃが復調対象波長“λｐ２＋Δλｏｆｆ１”に固定された波長可変フィルタ１１の透過光を用いて補助信号を復調する。また、復調部１８から出力される復調結果には、“０”と“１”のビット列で表されるノードＩＤまたはパスＩＤ等、光ネットワークの管理用の情報が含まれている。
【００３３】
上記一連の処理の流れを図示すると以下のようになる。図４は、実施例１の光信号復調装置の処理の説明に供するフローチャートである。
【００３４】
まず、波長制御部１２が、波長可変フィルタ１１の中心波長λｃを波長軸上のスタート位置に設定する（ステップＳ２１）。このスタート位置は、スイープ処理の起点となる波長である。よって、スタート位置は、光信号の送信波長帯域内で最も小さい波長に設定されるのが好ましい。
【００３５】
次いで、強度検出部１３が、波長可変フィルタ１１の透過光の強度を検出し、パワスペクトル取得部１５が、強度検出部１３によって検出された強度を記憶する（ステップＳ２２）。
【００３６】
次いで、波長制御部１２が、波長可変フィルタ１１の中心波長λｃを光信号の送信波長帯域の全域に渡ってスイープしたか否か、つまり、スイープ処理が完了したか否かを判断する（ステップＳ２３）。
【００３７】
スイープ処理が完了していない場合は（ステップＳ２３：Ｎｏ）、波長制御部１２が、波長可変フィルタ１１の中心波長λｃを波長軸上において所定量だけシフトし（ステップＳ２４）、処理はステップＳ２２に戻る。そして、スイープ処理が完了するまでステップＳ２２〜Ｓ２４の処理が繰り返し行われる。
【００３８】
スイープ処理の完了時には、パワスペクトル取得部１５には、送信波長帯域の全域に渡る光信号の強度が記憶される。そこで、スイープ処理が完了した場合は（ステップＳ２３：Ｙｅｓ）、ピーク特定部１６が、記憶した強度の変化からパワスペクトルを測定して取得する（ステップＳ２５）。
【００３９】
次いで、ピーク特定部１６が、パワスペクトルのピーク位置を特定するとともに、そのピーク位置に対応するピーク波長を波長軸上において特定する（ステップＳ２６）。
【００４０】
次いで、波長決定部１７が、ピーク波長を基準にして復調対象波長を決定し、波長制御部１２が、波長可変フィルタ１１の中心波長λｃを復調対象波長に固定する（ステップＳ２７）。
【００４１】
次いで、強度検出部１３が、中心波長λｃを復調対象波長に固定された波長可変フィルタ１１の透過光の強度を検出する（ステップＳ２８）。ステップＳ２８での強度の検出結果は、復調部１８に入力される。
【００４２】
次いで、復調部１８が、ステップＳ２８で検出された強度に基づいて、補助信号を復調する（ステップＳ２９）。
【００４３】
以上のように、実施例１によれば、光信号復調装置１０において、パワスペクトル取得部１５は、主信号に補助信号が周波数変調によって重畳されて生成された光信号のパワスペクトルを取得する。ピーク特定部１６は、パワスペクトル取得部１５によって取得されたパワスペクトルのピーク位置に対応する波長であるピーク波長を波長軸上において特定する。波長決定部１７は、ピーク特定部１６によって特定されたピーク波長を基準にして復調対象波長を決定する。復調部１８は、ピーク特定部１６によって特定されたピーク波長を基準にして波長決定部１７によって決定された、光信号の復調対象波長において補助信号を復調する。通常、パワスペクトルのピーク波長は主信号の中心波長に等しいため、こうすることで、主信号の中心波長が公称波長とずれた場合でも、そのずれに応じて復調対象波長を変化させて調節することができ、復調対象波長を最適な波長位置に決定することができる。よって、周波数変調により主信号に重畳された補助信号の復調精度を高めることができる。また、復調対象波長はピーク特定部１６によって特定されたピーク波長を基準にして決定されるものであるため、主信号の公称波長が不明な場合でも、補助信号を復調することができる。
【００４４】
また、強度検出部１３は、波長可変フィルタ１１の透過光の強度を検出する。波長制御部１２は、波長可変フィルタ１１の透過波長帯域を波長軸上においてスイープさせてパワスペクトル取得部１５にパワスペクトルを取得させるスイープ処理を行う。一方で、波長制御部１２は、スイープ処理の完了後に、波長可変フィルタ１１の中心波長を復調対象波長に固定する。復調部１８は、中心波長が復調対象波長に固定された波長可変フィルタ１１の透過光の強度に基づいて補助信号を復調する。こうすることで、周波数変調により主信号に重畳された補助信号が強度変調信号に変換されるため、波長可変フィルタ１１によるフィルタリングと、強度検出部１３による強度検出という、比較的簡易な処理で補助信号を復調することができる。
【００４５】
また、波長決定部１７は、ピーク特定部１６によって特定されたピーク波長から所定量だけオフセットした波長位置を復調対象波長に決定する。こうすることで、強度変調信号に変換された補助信号の強度の変化の幅が増大するため、補助信号の復調感度を高めることができる。
【００４６】
また、波長可変フィルタ１１は、パワスペクトル取得部１５によるパワスペクトルの取得時と、復調部１８による補助信号の復調時の双方において、光信号をフィルタリングする。同様に、強度検出部１３は、パワスペクトル取得部１５によるパワスペクトルの取得時と、復調部１８による補助信号の復調時の双方において、波長可変フィルタ１１の透過光の強度を検出する。つまり、波長可変フィルタ１１が、パワスペクトルの取得用と、補助信号の復調用との双方に共用される。また、強度検出部１３がパワスペクトルの取得用と、補助信号の復調用との双方に共用される。このように、１つの光部品を複数の用途に共用することで、光信号復調装置１０が備える光部品の点数を削減することができる。
【００４７】
また、波長可変フィルタ１１と強度検出部１３とは、従来の光チャネルモニタ（ＯＣＭ：Optical  Channel  Monitor）にも備えられている。このため、波長可変フィルタ１１と強度検出部１３とを、光チャネルモニタと光信号復調装置１０とで共用することができる。これにより、光信号復調装置１０を実現するにあたり、追加の光部品が不要となる。よって、従来の光チャネルモニタに光信号復調装置１０を組み合わせて実施するのが好ましい。
【００４８】
また、従来の光チャネルモニタでは、波長可変フィルタ１１と強度検出部１３とを用いて各光チャネルの強度検出を行っている。このため、従来の光チャネルモニタに光信号復調装置１０を組み合わせて実施することで、光チャネルモニタによる光チャネルの強度検出と、光信号復調装置１０によるパワスペクトル取得用の強度検出とを同時に行うことができる。すなわち、光信号復調装置１０で行われる処理の一部と、従来の光チャネルモニタで行われる処理の一部とが重複する。よって、従来の光チャネルモニタに光信号復調装置１０を組み合わせて実施することで、両者を効率良く運用することができる。
【００４９】
また、実施例１では、波長可変フィルタ１１のスイープ処理によりパワスペクトルの取得を行い、パワスペクトルの取得後、波長可変フィルタ１１の中心波長を復調対象波長に固定することにより補助信号の復調用の強度検出を行う。また、従来の光チャネルモニタでも、波長可変フィルタ１１のスイープ処理が行われる。そこで、従来の光チャネルモニタに光信号復調装置１０を組み合わせて実施する場合には、光チャネルモニタ用のスイープ処理と光信号復調装置１０用のスイープ処理とを同時に行うことができる。一方で、補助信号の復調用の強度検出をスイープ処理と分離して行うことができる。このため、実施例１では、補助信号の復調用の強度検出を行う際に、波長可変フィルタ１１の中心波長を復調対象波長に長時間固定することができるので、強度検出部１３は、同一波長の光信号の強度を長時間に渡って検出することができる。よって、実施例１は、補助信号の情報量が比較的多い場合に有利な実施例である。
【００５０】
［実施例２］
実施例２では、ピーク波長を光信号の強度の周波数成分に基づいて特定する。
【００５１】
＜光信号復調装置の構成＞
図５は、実施例２の光信号復調装置の一例を示す機能ブロック図である。図５において、光信号復調装置３０は、実施例１のピーク特定部１６（図１）に代えて、ピーク特定部３１を有する。なお、図５に示す波長制御部１２は、スイープ処理の完了通知をピーク特定部３１に出力する必要がない。
【００５２】
ピーク特定部３１には、波長可変フィルタ１１にスイープ処理がなされるに伴って、強度検出部１３によって検出された光信号の強度が順次入力される。ピーク特定部３１は、順次入力される強度から周波数成分を抽出し、スイープ処理の経過に伴って変化する周波数成分の変化を観測する。この周波数成分の抽出は、例えばＦＦＴ（Fast  Fourier  Transform）を用いて行われる。そして、ピーク特定部３１は、強度の高調波成分に基づいてピーク波長を特定する。具体的には、ピーク特定部３１は、以下のようにして、ピーク波長を特定する。図６は、実施例２のピーク特定部の処理の説明に供する図である。
【００５３】
＜ピーク波長の特定の具体例１＞
光信号が、主信号に補助信号が周波数変調によって重畳されて生成されたものである場合、ピーク波長は、光信号の強度の２次の高調波成分が最大となる波長に一致する。そこで、具体例１では、ピーク特定部３１は、光信号の強度の２次の高調波成分が最大となる波長をピーク波長として特定する。例えば、スイープ処理に伴って、図６に示すように、λ１〜λ３（λ１＜λ２＜λ３）の３点の波長において、強度の周波数成分３１１〜３１３がそれぞれ観測されたとする。ピーク特定部３１は、基本周波数ｆ０の２倍の周波数、つまり、２次の高調波２ｆ０において強度が最大となる波長をピーク波長と特定する。図６では、例えば、強度の周波数成分３１１〜３１３のうち、周波数成分３１２において、２次の高調波成分が最大となる。そこで、ピーク特定部３１は、波長λ２をピーク波長と特定する。
【００５４】
＜ピーク波長の特定の具体例２＞
図６に示すように、２次の高調波成分が最大となる周波数成分３１２の両側の２点の周波数成分３１１，３１３は対称となる。換言すれば、光信号が、主信号に補助信号が周波数変調によって重畳されて生成されたものである場合、ピーク波長の両側の２点の波長における強度の周波数成分が、その２点間で対称となる。そこで、具体例２では、ピーク特定部３１は、波長軸上において光信号の強度の周波数成分が対称となる２点の中間点をピーク波長として特定する。例えば、図６では、２点の波長の周波数成分、すなわち、波長λ１の周波数成分３１１と波長λ３の周波数成分３１３とが対称になっている。また、例えば、波長λ２が波長λ１と波長λ３との中間点にあるとする。そこで、ピーク特定部３１は、波長λ１と波長λ３との中間点である波長λ２をピーク波長と特定する。
【００５５】
＜光信号復調装置の処理＞
図７は、実施例２の光信号復調装置の処理の説明に供するフローチャートである。
【００５６】
ピーク特定部３１は、波長可変フィルタ１１の透過光の強度から周波数成分を抽出して記憶し、スイープ処理の経過に伴って変化する周波数成分の変化を観測する（ステップＳ３２）。
【００５７】
次いで、ピーク特定部３１は、例えば、上記の具体例１または具体例２のようにして、強度の高調波成分に基づいてピーク波長を特定する（ステップＳ３３）。
【００５８】
以上のように、実施例２によれば、ピーク特定部３１は、ピーク波長を光信号の強度の周波数成分に基づいて特定する。こうすることで、ピーク特定部３１では、波長可変フィルタ１１のスイープ処理の完了を待たずに、すなわち、スイープ処理の途中においてピーク波長を特定することが可能になるため、実施例１に比べ、ピーク波長の特定タイミングを早めることができる。
【００５９】
［実施例３］
実施例３では、復調対象波長を決定する際のピーク波長からのオフセット量をパワスペクトルに基づいて算出する。
【００６０】
＜光信号復調装置の構成＞
図８は、実施例３の光信号復調装置の一例を示す機能ブロック図である。図８において、光信号復調装置４０は、実施例１の波長決定部１７（図１）に代えて、波長決定部４１を有する。なお、波長決定部４１における処理のうち、以下に説明するもの以外は、実施例１の波長決定部１７における処理と同様である。
【００６１】
波長決定部４１には、ピーク特定部１６によって特定されたピーク波長がピーク特定部１６から通知される。波長決定部４１は、ピーク特定部１６からピーク波長を通知されると、パワスペクトル取得部１５で取得されたパワスペクトルを参照する。そして、波長決定部４１は、ピーク波長を基準にし、パワスペクトルに基づいて復調対象波長を決定する。
【００６２】
＜復調対象波長の決定の具体例＞
図９は、実施例３の波長決定部の処理の説明に供する図である。
【００６３】
主信号に補助信号が周波数変調により重畳されている場合、実施例１のようにして強度変調信号に変換された補助信号の強度の変化の幅が最大となる点は、パワスペクトルの傾きが最大となる点、つまり、パワスペクトルにおいて微分係数が最大となる点である。例えば、図９に示すように、ピーク波長がλｐ２であるパワスペクトル４１１において、点４１３の微分係数は点４１２の微分係数よりも大きい。また、点４１３の微分係数は、パワスペクトル４１１上において最大であるとする。よって、復調対象波長を、点４１３に対応する波長λ４１３に決定すると、強度変調信号に変換された補助信号の強度の変化の幅が最大となる。
【００６４】
一方で、光信号の強度があまりにも小さい波長に復調対象波長を決定すると、強度変調信号に変換された補助信号の強度が検出されなくなるおそれがある。
【００６５】
そこで、波長決定部４１は、図９に示すように、パワスペクトル４１１において、閾値Ｔｈ以上の強度のうち微分係数が最大となる点４１３に対応する波長位置λ４１３を復調対象波長に決定する。よって、復調対象波長は、図９に示すように、ピーク波長λｐ２からオフセット量である＋Δλｏｆｆ２だけオフセットした波長“λｐ２＋Δλｏｆｆ２”となる。波長決定部４１は、決定した復調対象波長“λｐ２＋Δλｏｆｆ２”を波長制御部１２に出力する。
【００６６】
波長制御部１２は、波長可変フィルタ１１の中心波長λｃを、波長決定部４１により決定された復調対象波長である“λｐ２＋Δλｏｆｆ２”に固定する。中心波長λｃを復調対象波長“λｐ２＋Δλｏｆｆ２”に固定された波長可変フィルタ１１は、入力される光信号をフィルタリングする。
【００６７】
＜光信号復調装置の処理＞
図１０は、実施例３の光信号復調装置の処理の説明に供するフローチャートである。
【００６８】
波長決定部４１は、ピーク波長を基準にし、パワスペクトルの強度の閾値Ｔｈと、パワスペクトルの微分係数とに従って復調対象波長を決定し、波長制御部１２は、波長可変フィルタ１１の中心波長λｃを復調対象波長に固定する（ステップＳ４２）。
【００６９】
以上のように、実施例３によれば、波長決定部４１は、パワスペクトルにおいて閾値以上の強度のうち微分係数が最大となる点に対応する波長位置を復調対象波長に決定する。こうすることで、強度変調信号に変換された補助信号の強度の変化の幅が最大になるため、実施例１に比べ、補助信号の復調感度をさらに高めることができる。
【００７０】
［実施例４］
実施例４では、補助信号の復調用の強度検出を、パワスペクトル取得用のスイープ処理に併せて行う。
【００７１】
＜光信号復調装置の構成＞
図１１は、実施例４の光信号復調装置の一例を示す機能ブロック図である。図１１において、光信号復調装置５０は、実施例１の波長制御部１２，ピーク特定部１６，波長決定部１７，復調部１８（図１）に代えて、波長制御部５１，ピーク特定部５２，波長決定部５３，復調部５４を有する。一方で、光信号復調装置５０は、実施例１の切替部１４（図１）を有しない。
【００７２】
波長制御部５１は、実施例１の波長制御部１２が行うスイープ処理と同様のスイープ処理を行う。すなわち、波長制御部５１は、実施例１と同様に、波長可変フィルタ１１の中心波長λｃを所定の波長間隔で順次シフトさせ、各シフト点の波長を、パワスペクトル取得部１５及び復調部５４に通知する。
【００７３】
但し、波長制御部５１は、実施例１の波長制御部１２が行うスイープ処理の速度よりも遅い速度でスイープ処理を行う。例えば、実施例１では、光信号のパワスペクトルが取得可能な最低限の数の強度検出結果が得られれば足りるため、波長制御部１２は、速い速度で波長可変フィルタ１１の中心波長λｃを順次シフトさせる。例えば、実施例１の波長制御部１２は、波長可変フィルタ１１の中心波長λｃを順次シフトさせた各点において、各々１つ程度の強度検出結果が得られるような最低時間のスイープ処理を行う。これに対し、波長制御部５１は、波長可変フィルタ１１の中心波長λｃを順次シフトさせた各点において、各々１００個程度の強度検出結果が得られるような一定時間をかけてスイープ処理を行う。つまり、波長制御部５１は、実施例１の波長制御部１２に比べ、スイープ処理の速度を遅くする。さらに、波長制御部５１は、実施例１の波長制御部１２に比べ、波長可変フィルタ１１の中心波長λｃのシフト間隔を小さくするのが好ましい。これにより、強度検出部１３では、波長軸上の各点において、中心波長が時間の経過とともに±Δλだけ変位する光信号の十分な数の強度が検出される。強度検出部１３は、波長軸上の各シフト点において検出された複数の強度をパワスペクトル取得部１５及び復調部５４に出力する。
【００７４】
パワスペクトル取得部１５は、波長軸上の各シフト点において検出された複数の強度のうち、各シフト点において最初に検出された強度を各シフト点に対応付けて記憶する。一方で、復調部５４は、波長軸上の各シフト点において検出された複数の強度のすべてを各シフト点に対応付けて記憶する。
【００７５】
波長制御部５１は、スイープ処理の完了後、スイープ処理の完了通知をピーク特定処理の開始指示としてピーク特定部５２に出力する。
【００７６】
ピーク特定部５２は、波長制御部５１からスイープ処理の完了通知を受けると、実施例１と同様にしてピーク波長を特定し、特定したピーク波長を波長決定部５３に通知する。
【００７７】
波長決定部５３は、ピーク特定部５２からピーク波長の通知を受けると、通知されたピーク波長を基準にして復調対象波長を決定し、決定した復調対象波長を復調部５４に通知する。波長決定部５３は、例えば、ピーク波長を基準にし、ピーク波長から所定量だけオフセットした波長位置を復調対象波長に決定する。
【００７８】
復調部５４は、スイープ処理に伴って検出され復調部５４に記憶された強度のうち、復調対象波長だけの複数の強度に基づいて補助信号を復調する。
【００７９】
ここで、強度検出部１３によって検出される強度は、波長可変フィルタ１１の中心波長λｃを順次シフトさせた各点において検出された複数の強度である。このため、各シフト点毎の複数の強度は、実施例１（図３）と同様に、強度ｐｗ１、または、強度ｐｗ１より大きい強度ｐｗ２となる。このように、±Δｆの周波数変調により主信号に重畳された補助信号は、スイープ処理に伴って、波長可変フィルタ１１でのフィルタリングにより、±Δｆに応じた分だけ強度が変化する信号として検出される。そこで、復調部５４は、実施例１と同様にして、強度ｐｗ１を“０”の情報、強度ｐｗ２を“１”の情報として補助信号を復調し、復調結果を出力する。
【００８０】
＜光信号復調装置の処理＞
図１２は、実施例４の光信号復調装置の処理の説明に供するフローチャートである。
【００８１】
ステップＳ５４〜ステップ２４の処理ループにおいて、強度検出部１３が、波長可変フィルタ１１の透過光の強度を検出し、パワスペクトル取得部１５及び復調部５４が、強度検出部１３によって検出された強度を記憶する（ステップＳ５４）。
【００８２】
ピーク特定部５２によってピーク波長が特定されると（ステップＳ２６）、波長決定部５３が、ピーク波長を基準にして復調対象波長を決定する（ステップＳ５５）。
【００８３】
次いで、復調部５４が、ステップＳ５４で記憶した強度のうち復調対象波長だけの複数の強度に基づいて、補助信号を復調する（ステップＳ５６）。
【００８４】
以上のように、実施例４によれば、光信号復調装置５０において、パワスペクトル取得部１５は、主信号に補助信号が周波数変調によって重畳されて生成された光信号のパワスペクトルを取得する。ピーク特定部５２は、パワスペクトル取得部１５によって取得されたパワスペクトルのピーク位置に対応する波長であるピーク波長を波長軸上において特定する。波長決定部５３は、ピーク特定部５２によって特定されたピーク波長を基準にして復調対象波長を決定する。復調部５４は、ピーク特定部５２によって特定されたピーク波長を基準にして波長決定部５３により決定された、光信号の復調対象波長において補助信号を復調する。こうすることで、実施例１と同様に、復調対象波長を最適な波長位置に決定することができるため、周波数変調により主信号に重畳された補助信号の復調精度を高めることができる。また、主信号の公称波長が不明な場合でも、補助信号を復調することができる。
【００８５】
また、強度検出部１３は、波長可変フィルタ１１の透過光の強度を検出する。波長制御部５１は、波長可変フィルタ１１の透過波長帯域を波長軸上においてスイープさせてパワスペクトル取得部１５にパワスペクトルを取得させるスイープ処理を行う。復調部５４は、スイープ処理により強度検出部１３によって検出された複数の強度のうち、復調対象波長の一部の強度に基づいて補助信号を復調する。つまり、実施例４では、補助信号の復調用の強度検出を、パワスペクトル取得用のスイープ処理に併せて行う。すなわち、補助信号の復調用の強度検出と、パワスペクトル取得用の強度検出とを、１回のスイープ処理で併せて行う。このため、従来の光チャネルモニタに光信号復調装置５０を組み合わせて実施する場合には、スイープ処理の速度を遅くすると、光チャネルモニタ用のパワスペクトルの取得までに長時間かかってしまう。一方で、光チャネルモニタでは、光信号の送信波長帯域の全域に渡る強度をできるだけ早く取得したいため、補助信号の復調用の強度検出のためのスイープ処理にかけることができる時間は制限される。ここで、補助信号の情報量が比較的少ない場合には、波長可変フィルタ１１の中心波長λｃを順次シフトさせた各点において複数の強度を検出するのにかかる時間は短時間で済む。また、波長可変フィルタ１１の中心波長λｃを順次シフトさせた各点において複数の強度を検出するのにかかる時間が短時間で済むと、光チャネルモニタでは、スイープ処理の開始から比較的短時間で、光信号の送信波長帯域の全域に渡る強度を取得できる。よって、実施例４は、補助信号の情報量が比較的少ない場合に有利な実施例である。
【００８６】
また、実施例４では、補助信号の復調用の強度検出をパワスペクトル取得用のスイープ処理に併せて行うため、実施例１のように、スイープ処理の完了後、さらに波長可変フィルタ１１の中心波長を復調対象波長へ移動させて固定させる処理が不要となる。このため、波長制御部５１は、スイープ処理の完了後、補助信号の復調用の強度検出のために、波長可変フィルタ１１の中心波長の制御を行わない。このため、実施例４によれば、波長可変フィルタ１１の中心波長の制御に要する処理量を実施例１に比べて削減することができる。
【００８７】
なお、光チャネルモニタのためにパワスペクトルの取得を短時間で済ませたい場合には、実施例１のスイープ処理の時間と比べ、同等の時間、または、僅かに遅い程度の時間でスイープ処理を行ってもよい。この場合には、復調部５４は、スイープ処理に伴って強度検出部１３によって検出されたすべての強度を記憶する。そして、復調部５４は、スイープ処理に伴って検出された強度のうち、復調対象波長だけの強度から周波数変調による変調成分を信号処理により抽出して補助信号を復調する。つまり、この場合でも、復調部５４は、スイープ処理により強度検出部１３によって検出された複数の強度のうち、復調対象波長の一部の強度に基づいて補助信号を復調する。このように、実施例１のスイープ処理の時間と比べ、同等の時間、または、僅かに遅い程度の時間でスイープ処理を行うことにより、光チャネルモニタのためのパワスペクトルの取得を短時間で行うことができる。
【００８８】
［実施例５］
実施例５では、実施例１〜４の光信号復調装置を適用した光分岐挿入装置について説明する。図１３は、実施例５の光分岐挿入装置の一例を示す機能ブロック図である。図１３において、光分岐挿入装置（ＯＡＤＭ：Optical  Add/Drop  Multiplexer）７０は、光カプラ７１−１〜７１−１６と、光アンプ７２−１〜７２−８と、光カプラ（ＣＰＬ：Coupler）７３−１〜７３−４とを有する。また、光分岐挿入装置７０は、波長選択スイッチ（ＷＳＳ：Wavelength  Selectable  Switch）７４−１〜７４−４と、マルチキャストスイッチ（ＭＣＳ：Multicast  Switch）７５−１，７５−２とを有する。また、光分岐挿入装置７０は、光スイッチ７５と、光信号復調装置６０と、ＩＤ検出部７６とを有する。
【００８９】
光分岐挿入装置７０は、例えば、リング型光ネットワーク上の分岐点に配置される。そして、光分岐挿入装置７０は、波長が互いに異なる複数の光信号がＷＤＭによって多重化された光信号（以下では「ＷＤＭ信号」と呼ばれることがある）を、光ネットワークのＷＥＳＴ側からＥＡＳＴ側へ伝送し、また、ＥＡＳＴ側からＷＥＳＴ側へ伝送する。
【００９０】
光カプラ７１−１〜７１−１６及び光カプラ７３−１〜７３−４は、入力される１つの光信号を複数の経路に分岐して出力し、また、入力される複数の光信号を合波して出力する。
【００９１】
光アンプ７２−１〜７２−８は、入力される光信号の強度を増幅する。
【００９２】
波長選択スイッチ７４−３，７４−４は、入力されるＷＤＭ信号から所望の波長の光信号を選択して出力する。波長選択スイッチ７４−１，７４−２は、入力されるＷＤＭ信号から選択した所望の光信号に、カプラ７３−３，７３−４から出力される光信号を挿入したＷＤＭ信号を出力する。
【００９３】
マルチキャストスイッチ７５−１，７５−２は、複数の入力ポートと複数の出力ポートとを有する。マルチキャストスイッチ７５−１，７５−２は、複数の入力ポートと複数の出力ポートとの間において入力ポートと出力ポートとの接続状態を変更することにより、特定の入力ポートに入力された光信号を特定の出力ポートに出力する。マルチキャストスイッチ７５−１からＤｒｏｐ側に出力された光信号は、トランスポンダ（図示せず）に入力される。また、マルチキャストスイッチ７５−２は、トランスポンダ（図示せず）から出力された光信号がＡｄｄ側から入力される。
【００９４】
光スイッチ７６は、光カプラ７１−１〜７１−１６から入力される光信号のうち、制御信号によって指示された光信号のみを光信号復調装置６０に出力する。
【００９５】
光信号復調装置６０は、上記の光信号復調装置１０，３０，４０，５０のいずれかである。
【００９６】
ＩＤ検出部７７は、光信号復調装置６０での復調結果を入力され、その復調結果から、補助信号に含まれるノードＩＤまたはパスＩＤを検出する。
【００９７】
以下、一例として、光分岐挿入装置７０がＷＥＳＴ側から伝送されたＷＤＭ信号を受信する場合について説明する。また、ＷＤＭ信号に多重されている各光信号は、主信号と、周波数変調により主信号に重畳された補助信号とを含む。また、ＷＤＭ信号には、波長λ１，λ２，λ３の３つの主信号が多重されているものとする。また、補助信号は、ノードＩＤを含むものとする。また、波長選択スイッチ７４−３によって、ＷＤＭ信号から波長λ２の主信号が選択されて光アンプ７２−５に出力されるものとする。また、マルチキャストスイッチ７５−１では、光カプラ７１−５に接続された入力ポートに入力された波長λ２の主信号が、光カプラ７１−９に接続された出力ポートに出力されるものとする。
【００９８】
まず、光スイッチ７６が制御信号によって、光カプラ７１−１から入力されるＷＤＭ信号を選択するように制御される。ＷＥＳＴ側から入力されたＷＤＭ信号は、光カプラ７１−１によって、光スイッチ７６と光アンプ７２−１とに分岐される。光スイッチ７６は、入力されたＷＤＭ信号を光信号復調装置６０に出力する。光信号復調装置６０は、上記の実施例のようにして、ＷＤＭ信号のパワスペクトルを取得し、取得したパワスペクトルのピークを特定する。ＷＤＭ信号に波長λ１，λ２，λ３の３つの主信号が多重されている場合、光信号復調装置６０は、波長λ１，λ２，λ３の３つの主信号それぞれのピーク波長λｐ１，λｐ２，λｐ３を特定する。そして、光信号復調装置６０は、上記の実施例のようにして、波長λ１〜λ３の３つの主信号それぞれに重畳された３つの補助信号を復調し、３つの復調結果をＩＤ検出部７７に出力する。ＩＤ検出部７７は、これらの復調結果である各ビット列から、波長λ１〜λ３の３つの主信号それぞれのパスＩＤを検出し、検出結果を出力する。このようにして、まず、ＷＤＭ信号から複数のパスＩＤが検出される。
【００９９】
次いで、光スイッチ７６が制御信号によって、光カプラ７１−５及び７１−９から入力される光信号を選択するように制御される。よって、光信号復調装置６０には、光カプラ７１−５及び７１−９の双方から光信号が入力される。光信号復調装置６０は、上記の実施例のようにして、補助信号を復調し、復調結果をＩＤ検出部７７に出力する。よって、波長選択スイッチ７４−３が正常に動作している場合には、光カプラ７１−５から出力された光信号から波長λ２の主信号のパスＩＤが検出される。つまり、波長選択スイッチ７４−３が正常に動作している場合には、光カプラ７１−５から出力された光信号から検出されるパスＩＤは、ＷＤＭ信号から検出された複数のパスＩＤのいずれかに該当する。同様に、マルチキャストスイッチ７５−１が正常に動作している場合には、光カプラ７１−９から出力された光信号から波長λ２の主信号のパスＩＤが検出される。つまり、マルチキャストスイッチ７５−１が正常に動作している場合には、光カプラ７１−９から出力された光信号から検出されるパスＩＤは、ＷＤＭ信号から検出された複数のパスＩＤのいずれかに該当する。一方で、波長選択スイッチ７４−３が正常な動作状態にない場合は、光カプラ７１−５から出力された光信号から検出されるパスＩＤは、ＷＤＭ信号から検出された複数のパスＩＤのいずれにも該当しない可能性が高い。同様に、マルチキャストスイッチ７５−１が正常な動作状態にない場合は、光カプラ７１−９から出力された光信号から検出されるパスＩＤは、ＷＤＭ信号から検出された複数のパスＩＤのいずれにも該当しない可能性が高い。
【０１００】
よって、ＷＤＭ信号から検出された複数のパスＩＤと、光カプラ７１−５から出力された光信号から検出されたパスＩＤとを比較することにより、波長選択スイッチ７４−３の動作状態が正常か異常かを判定することが可能になる。同様に、ＷＤＭ信号から検出された複数のパスＩＤと、光カプラ７１−９から出力された光信号から検出されたパスＩＤとを比較することにより、マルチキャストスイッチ７５−１の動作状態が正常か異常かを判定することが可能になる。
【０１０１】
以上のように、実施例５によれば、光分岐挿入装置７０は、光信号復調装置６０を有する。光信号復調装置６０は、光信号復調装置１０，３０，４０，５０（実施例１〜４）のいずれかである。よって、実施例５によれば、光信号分岐挿入装置において、実施例１〜４の効果と同様の効果を得ることができる。
【０１０２】
［他の実施例］
［１］実施例２と実施例３とを組み合わせて実施することも可能である。また、実施例４は、実施例２，３と組み合わせることも可能である。
【０１０３】
［２］上記の補助信号には、ノードＩＤまたはパスＩＤの他にも、光ネットワークの管理用の様々な情報を含ませてもよい。例えば、主信号に用いられている変調方式を示す情報、確立されている光パスにおけるＯＳＮＲ（Optical  Signal  Noise  Ratio）を示す情報、波長分散を示す情報等を、補助信号に含ませてもよい。
【０１０４】
［３］上記の「主信号」は、何らかの信号が重畳される信号であればいずれの信号でもよく、よって、補助信号が重畳される信号の呼称は「主信号」に限定されない。同様に、上記の「補助信号」は、何らかの信号に重畳される信号であればいずれの信号でもよく、よって、主信号に重畳される信号の呼称は「補助信号」に限定されない。例えば、「補助信号」は、光ネットワークの管理用に用いられることがあるため、「管理信号」と呼ばれることがある。つまり、開示の技術では、少なくとも、一方の信号に他方の信号が周波数変調によって重畳されて生成された光信号から他方の信号が復調されればよい。
【０１０５】
［４］上記の光信号復調装置１０，３０，４０，５０は、次のようなハードウェア構成により実現することができる。図１４は、光信号復調装置のハードウェア構成例を示す図である。図１４に示すように、光信号復調装置１０，３０，４０，５０は、ハードウェアの構成要素として、波長可変フィルタ１１と、フォトダイオード１０ａと、プロセッサ１０ｂと、メモリ１０ｃとを有する。プロセッサ１０ｂの一例として、ＣＰＵ（Central  Processing  Unit）、ＤＳＰ（Digital  Signal  Processor）、ＦＰＧＡ（Field  Programmable  Gate  Array）等が挙げられる。また、光信号復調装置１０，３０，４０，５０は、プロセッサ１０bと周辺回路とを含むＬＳＩ（Large  Scale  Integrated  circuit）を有してもよい。メモリ１０ｃの一例として、ＳＤＲＡＭ等のＲＡＭ、ＲＯＭ、フラッシュメモリ等が挙げられる。強度検出部１３は、フォトダイオード１０ａにより実現される。波長制御部１２，５１と、切替部１４と、ピーク特定部１６，３１，５２と、波長決定部１７，４１，５３と、復調部１８とは、プロセッサ１０ｂにより実現される。パワスペクトル取得部１５と、復調部５４とは、プロセッサ１０ｂ及びメモリ１０ｃにより実現される。
【０１０６】
［５］上記説明における各種の処理は、予め用意されたプログラムをプロセッサ１０ｂに実行させることによっても実現できる。例えば、波長制御部１２，５１と、切替部１４と、パワスペクトル取得部１５と、ピーク特定部１６，３１，５２と、波長決定部１７，４１，５３と、復調部１８，５４とによって実行される各処理に対応するプログラムが予めメモリ１０ｃに記憶される。そして、各プログラムがメモリ１０ｃからプロセッサ１０ｂへ読み出されてプロセスとして機能してもよい。
【０１０７】
上記実施例を含む実施形態に関し、さらに以下の付記を開示する。
【０１０８】
（付記１）第１の信号に第２の信号が周波数変調によって重畳された光信号のパワスペクトルを取得する取得部と、
前記パワスペクトルのピーク位置に対応する波長であるピーク波長を特定する特定部と、
前記ピーク波長に基づいて透過波長帯域を設定した波長可変フィルタを用いて前記光信号から前記第２の信号を復調する復調部と、
を具備する光信号復調装置。
【０１０９】
（付記２）前記光信号が前記波長可変フィルタを透過した透過光の強度を検出する検出部と、
前記波長可変フィルタの透過波長帯域をスイープさせて前記取得部に前記パワスペクトルを取得させるスイープ処理を行う一方で、前記スイープ処理の完了後に、前記波長可変フィルタの透過波長帯域を前記ピーク波長に基づいて制御する波長制御部と、をさらに具備し、
前記復調部は、前記波長可変フィルタの透過光の強度に基づいて前記第２の信号を復調する、
付記１に記載の光信号復調装置。
【０１１０】
（付記３）第１の信号に第２の信号が周波数変調によって重畳された光信号が波長可変フィルタを透過した透過光の強度を検出する検出部と、
透過波長帯域をスイープさせた前記波長可変フィルタを用いて前記光信号のパワスペクトルを取得する取得部と、
前記パワスペクトルのピーク位置に対応する波長であるピーク波長を特定する特定部と、
前記スイープにより前記検出部によって検出された強度のうち前記ピーク波長を基準にして設定した特定の波長の強度に基づいて、前記第２の信号を復調する復調部と、
を具備する光信号復調装置。
【０１１１】
（付記４）前記特定部は、前記光信号の強度の２次の高調波成分が最大となる波長を前記ピーク波長として特定する、
付記１に記載の光信号復調装置。
【０１１２】
（付記５）前記特定部は、前記光信号の強度の周波数成分が対称となる２点の中間点を前記ピーク波長として特定する、
付記１に記載の光信号復調装置。
【０１１３】
（付記６）前記ピーク波長からオフセットした波長位置に前記透過波長帯域を設定する設定部、をさらに具備する、
付記１に記載の光信号復調装置。
【０１１４】
（付記７）前記パワスペクトルにおいて閾値以上の強度のうち微分係数が最大となる点に対応する前記波長位置に前記透過波長帯域を設定する設定部、をさらに具備する、
付記１に記載の光信号復調装置。
【０１１５】
（付記８）第１の信号に第２の信号が周波数変調によって重畳された光信号のパワスペクトルを取得する取得部と、
前記パワスペクトルのピーク位置に対応する波長であるピーク波長を特定する特定部と、
前記ピーク波長に基づいて透過波長帯域を設定した波長可変フィルタを用いて前記光信号から前記第２の信号を復調する復調部と、
を具備する光分岐挿入装置。
【０１１６】
（付記９）第１の信号に第２の信号が周波数変調によって重畳された光信号のパワスペクトルを取得し、
前記パワスペクトルのピーク位置に対応する波長であるピーク波長を特定し、
前記ピーク波長に基づいて透過波長帯域を設定した波長可変フィルタを用いて前記光信号から前記第２の信号を復調する、
光信号復調方法。
【０１１７】
（付記１０）メモリと、プロセッサと、を具備する光信号復調装置であって、
前記プロセッサが、第１の信号に第２の信号が周波数変調によって重畳された光信号のパワスペクトルを取得し、前記パワスペクトルのピーク位置に対応する波長であるピーク波長を特定し、前記ピーク波長に基づいて透過波長帯域を設定した波長可変フィルタを用いて前記光信号から前記第２の信号を復調する処理を実行する、
光信号復調装置。
【符号の説明】
【０１１８】
１０，３０，４０，５０，６０  光信号復調装置
１１  波長可変フィルタ
１２，５１  波長制御部
１３  強度検出部
１４  切替部
１５  パワスペクトル取得部
１６，３１，５２  ピーク特定部
１７，４１，５３  波長決定部
１８，５４  復調部
７０  光分岐挿入装置
【図１】
2014179954.tif 000003
【図２】
2014179954.tif 000004
【図３】
2014179954.tif 000005
【図４】
2014179954.tif 000006
【図５】
2014179954.tif 000007
【図６】
2014179954.tif 000008
【図７】
2014179954.tif 000009
【図８】
2014179954.tif 000010
【図９】
2014179954.tif 000011
【図１０】
2014179954.tif 000012
【図１１】
2014179954.tif 000013
【図１２】
2014179954.tif 000014
【図１３】
2014179954.tif 000015
【図１４】
2014179954.tif 000016